【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
免許不要専用スペクトルを使用するときのアクセスタイミングパラメータを適応させる方法であって、
マルチモードデバイスの少なくとも１つのアクセスタイミングパラメータを識別すること、前記少なくとも１つのアクセスタイミングパラメータは、前記免許不要専用スペクトルの外側で前記マルチモードデバイスの動作のために前記マルチモードデバイスによって使用される、と、
前記マルチモードデバイスの前記少なくとも１つのアクセスタイミングパラメータの期間を適応させること、前記適応された少なくとも１つのアクセスタイミングパラメータは、前記免許不要専用スペクトル内で前記マルチモードデバイスの動作のために前記マルチモードデバイスによって使用され、ここにおいて、前記少なくとも１つのアクセスタイミングパラメータの前記適応された期間は、前記免許不要専用スペクトルが割り当てられるデバイスの送信に、前記マルチモードデバイスを介して優先権を提供する、と、
前記免許不要専用スペクトルが割り当てられるデバイスの送信に前記優先権を提供する前記少なくとも１つの前記アクセスタイミングパラメータの前記適応された期間に少なくとも部分的に基づいて、前記免許不要専用スペクトルの少なくとも一部分にアクセスすることと
を備える、方法。
【請求項２】
前記マルチモードデバイスの少なくとも１つのアクセスタイミングパラメータの前記期間を適応させることは、
前記免許不要専用スペクトルが割り当てられるデバイスによって使用されるショートインターフレームスペーシング（ＳＩＦＳ）の期間よりも長くなるようにＳＩＦＳの期間を増加させることを備える、
請求項１に記載の方法。
【請求項３】
前記マルチモードデバイスの少なくとも１つのアクセスタイミングパラメータの前記期間を適応させることは、
前記免許不要専用スペクトルが割り当てられるデバイスのアクセスタイミングのために使用されるスロット時間よりも長くなるようにアクセスタイミングのために使用されるスロット時間を増加させることを備え、前記増加したスロット時間は、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１に記載の方法。
【請求項４】
前記マルチモードデバイスの少なくとも１つのアクセスタイミングパラメータの前記期間を適応させることは、
前記マルチモードデバイスによって使用されるバックオフタイマを適応させることを備える、
請求項１に記載の方法。
【請求項５】
前記免許不要専用スペクトル内の免許不要専用スペクトル送信のアクティビティレベルを決定することと、
免許不要専用スペクトル送信の前記決定されたアクティビティレベルに少なくとも部分的に基づいて、前記マルチモードデバイスの送信のために前記免許不要専用スペクトルを使用するかどうかを決定することと
をさらに備える、請求項１に記載の方法。
【請求項６】
前記免許不要専用スペクトルを使用すると決定すると、前記マルチモードデバイスの前記少なくとも１つのアクセスタイミングパラメータの前記期間を前記適応させることは、免許不要専用送信の前記決定されたアクティビティレベルに少なくとも部分的に基づく、
請求項５に記載の方法。
【請求項７】
免許不要専用スペクトル送信の第１のアクティビティレベルを備える第１の時間期間を識別することと、
免許不要専用スペクトル送信の第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
をさらに備える、請求項５に記載の方法。
【請求項８】
前記免許不要専用スペクトル内のアクティビティレベルを送信することをさらに備える、
請求項１に記載の方法。
【請求項９】
前記マルチモードデバイスの少なくとも１つのアクセスタイミングパラメータの前記期間に適用する前記適応を示すアクセスポイント（ＡＰ）から命令を受信することをさらに備え、前記命令は、前記免許不要専用スペクトル内のアクティビティレベルに少なくとも部分的に基づく、
請求項１に記載の方法。
【請求項１０】
前記マルチモードデバイスの前記少なくとも１つのアクセスタイミングパラメータの前記期間をさらに適応させることをさらに備え、前記さらに適応された少なくとも１つのアクセスタイミングパラメータは、前記免許不要専用スペクトルの外側で前記マルチモードデバイスの動作のために、前記マルチモードデバイスによって使用される、
請求項１に記載の方法。
【請求項１１】
免許不要専用スペクトルを使用するときのアクセスタイミングパラメータを適応させるための装置であって、
マルチモードデバイスの少なくとも１つのアクセスタイミングパラメータを識別するための手段、前記少なくとも１つのアクセスタイミングパラメータは、前記免許不要専用スペクトルの外側で前記マルチモードデバイスの動作のために前記マルチモードデバイスによって使用される、と、
前記マルチモードデバイスの前記少なくとも１つのアクセスタイミングパラメータの期間を適応させるための手段、前記適応された少なくとも１つのアクセスタイミングパラメータは、前記免許不要専用スペクトル内で前記マルチモードデバイスの動作のために前記マルチモードデバイスによって使用され、ここにおいて、前記少なくとも１つのアクセスタイミングパラメータの前記適応された期間は、前記免許不要専用スペクトルが割り当てられるデバイスの送信に、前記マルチモードデバイスを介して優先権を提供する、と、
前記免許不要専用スペクトルが割り当てられるデバイスの送信に前記優先権を提供する前記少なくとも１つの前記アクセスタイミングパラメータの前記適応された期間に少なくとも部分的に基づいて、前記免許不要専用スペクトルの少なくとも一部分にアクセスするための手段と
を備える、装置。
【請求項１２】
前記マルチモードデバイスの少なくとも１つのアクセスタイミングパラメータの前記期間を適応させるための前記手段は、
前記免許不要専用スペクトルが割り当てられるデバイスによって使用されるショートインターフレームスペーシング（ＳＩＦＳ）の期間よりも長くなるようにＳＩＦＳの期間を増加させるための手段を備える、
請求項１１に記載の装置。
【請求項１３】
前記マルチモードデバイスの少なくとも１つのアクセスタイミングパラメータの前記期間を適応させるための前記手段は、
前記免許不要専用スペクトルが割り当てられるデバイスのアクセスタイミングのために使用されるスロット時間よりも長くなるようにアクセスタイミングのために使用されるスロット時間を増加させるための手段を備え、前記増加したスロット時間は、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１１に記載の装置。
【請求項１４】
前記マルチモードデバイスの少なくとも１つのアクセスタイミングパラメータの前記期間を適応させるための前記手段は、
前記マルチモードデバイスによって使用されるバックオフタイマを適応させるための手段を備える、
請求項１１に記載の装置。
【請求項１５】
前記免許不要専用スペクトル内の免許不要専用スペクトル送信のアクティビティレベルを決定するための手段と、
免許不要専用スペクトル送信の前記決定されたアクティビティレベルに少なくとも部分的に基づいて、前記マルチモードデバイスの送信のために前記免許不要専用スペクトルを使用するかどうかを決定するための手段と
をさらに備える、請求項１１に記載の装置。
【請求項１６】
前記マルチモードデバイスの前記少なくとも１つのアクセスタイミングパラメータの前記期間を適応させるための前記手段は、免許不要専用送信の前記決定されたアクティビティレベルに少なくとも部分的に基づいて、前記期間を適応させるための前記手段を含む、
請求項１５に記載の装置。
【請求項１７】
免許不要専用スペクトル送信の第１のアクティビティレベルを備える第１の時間期間を識別するための手段と、
免許不要専用スペクトル送信の第２のアクティビティレベルを備える第２の時間期間を識別するための手段、前記第２のアクティビティレベルは、前記第１のアクティビティレベルと異なる、と、
前記第１の時間期間の間の第１の適応に従って前記少なくとも１つのアクセスタイミングパラメータを適応させるための手段と、
前記第２の時間期間の間の第２の適応に従って前記少なくとも１つのアクセスタイミングパラメータを適応させるための手段、前記第２の適応は、前記第１の適応と異なる、と
をさらに備える、請求項１５に記載の装置。
【請求項１８】
前記免許不要専用スペクトル内のアクティビティレベルを送信するための手段をさらに備える、
請求項１１に記載の装置。
【請求項１９】
前記マルチモードデバイスの前記少なくとも１つのアクセスタイミングパラメータに適用する前記適応を示すアクセスポイント（ＡＰ）から命令を受信するための手段をさらに備え、前記命令は、前記免許不要専用スペクトル内のアクティビティレベルに少なくとも部分的に基づく、
請求項１１に記載の装置。
【請求項２０】
前記マルチモードデバイスの前記少なくとも１つのアクセスタイミングパラメータの前記期間をさらに適応させるための手段をさらに備え、前記さらに適応された少なくとも１つのアクセスタイミングパラメータは、前記免許不要専用スペクトルの外側で前記マルチモードデバイスの動作のために、前記マルチモードデバイスによって使用される、
請求項１１に記載の装置。
【請求項２１】
免許不要専用スペクトルを使用するときのアクセスタイミングパラメータを適応させるように構成されたマルチモードデバイスであって、
プロセッサと、
前記プロセッサと電子通信するメモリと、
前記メモリに記憶されている命令と
を備え、前記命令は、
マルチモードデバイスの少なくとも１つのアクセスタイミングパラメータを識別すること、前記少なくとも１つのアクセスタイミングパラメータは、前記免許不要専用スペクトルの外側で前記マルチモードデバイスの動作のために前記マルチモードデバイスによって使用される、と、
前記マルチモードデバイスの前記少なくとも１つのアクセスタイミングパラメータの期間を適応させること、前記適応された少なくとも１つのアクセスタイミングパラメータは、前記免許不要専用スペクトル内で前記マルチモードデバイスの動作のために前記マルチモードデバイスによって使用され、ここにおいて、前記少なくとも１つのアクセスタイミングパラメータの前記適応された期間は、前記免許不要専用スペクトルが割り当てられるデバイスの送信に、前記マルチモードデバイスを介して優先権を提供する、と、
前記免許不要専用スペクトルが割り当てられるデバイスの送信に前記優先権を提供する前記少なくとも１つの前記アクセスタイミングパラメータの前記適応された期間に少なくとも部分的に基づいて、前記免許不要専用スペクトルの少なくとも一部分にアクセスすることと
を前記プロセッサによって実行可能である、マルチモードデバイス。
【請求項２２】
前記マルチモードデバイスの少なくとも１つのアクセスタイミングパラメータの前記期間を適応させる前記命令は、
前記免許不要専用スペクトルが割り当てられるデバイスによって使用されるショートインターフレームスペーシング（ＳＩＦＳ）の期間よりも長くなるようにＳＩＦＳの期間を増加させることを前記プロセッサによって実行可能である、
請求項２１に記載のマルチモードデバイス。
【請求項２３】
前記マルチモードデバイスの少なくとも１つのアクセスタイミングパラメータの前記期間を適応させる前記命令は、
前記免許不要専用スペクトルが割り当てられるデバイスのアクセスタイミングのために使用されるスロット時間よりも長くなるようにアクセスタイミングのために使用されるスロット時間を増加させることを前記プロセッサによって実行可能であり、前記増加したスロット時間は、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項２１に記載のマルチモードデバイス。
【請求項２４】
前記マルチモードデバイスの少なくとも１つのアクセスタイミングパラメータの前記期間を適応させる前記命令は、
前記マルチモードデバイスによって使用されるバックオフタイマを適応させることを前記プロセッサによって実行可能である、
請求項２１に記載のマルチモードデバイス。
【請求項２５】
前記命令は、
前記免許不要専用スペクトル内の免許不要専用スペクトル送信のアクティビティレベルを決定することと、
免許不要専用スペクトル送信の前記決定されたアクティビティレベルに少なくとも部分的に基づいて、前記マルチモードデバイスの送信のために前記免許不要専用スペクトルを使用するかどうかを決定することと
を前記プロセッサによってさらに実行可能である、請求項２１に記載のマルチモードデバイス。
【請求項２６】
前記マルチモードデバイスの前記少なくとも１つのアクセスタイミングパラメータの前記期間を適応させる前記命令は、
免許不要専用送信の前記決定されたアクティビティレベルに少なくとも部分的に基づいて、前記マルチモードデバイスの前記少なくとも１つのアクセスタイミングパラメータの前記期間を適応させることを前記プロセッサによってさらに実行可能である、
請求項２５に記載のマルチモードデバイス。
【請求項２７】
前記命令は、
免許不要専用スペクトル送信の第１のアクティビティレベルを備える第１の時間期間を識別することと、
免許不要専用スペクトル送信の第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、
請求項２５に記載のマルチモードデバイス。
【請求項２８】
前記命令は、
前記免許不要専用スペクトル内のアクティビティレベルを送信することを前記プロセッサによってさらに実行可能である、
請求項２１に記載のマルチモードデバイス。
【請求項２９】
前記命令は、
前記マルチモードデバイスの少なくとも１つのアクセスタイミングパラメータの前記期間に適用する前記適応を示すアクセスポイント（ＡＰ）から命令を受信することを前記プロセッサによってさらに実行可能であり、前記命令は、前記免許不要専用スペクトル内のアクティビティレベルに少なくとも部分的に基づく、
請求項２１に記載のマルチモードデバイス。
【請求項３０】
前記命令は、
前記マルチモードデバイスの前記少なくとも１つのアクセスタイミングパラメータの前記期間をさらに適応させることを前記プロセッサによってさらに実行可能であり、前記さらに適応された少なくとも１つのアクセスタイミングパラメータは、前記免許不要専用スペクトルの外側で前記マルチモードデバイスの動作のために、前記マルチモードデバイスによって使用される、
請求項２１に記載のマルチモードデバイス。
【請求項３１】
免許不要専用スペクトルを使用するときのアクセスタイミングパラメータを適応させる非一時的コンピュータ可読媒体であって、前記非一時的コンピュータ可読媒体は、
マルチモードデバイスの少なくとも１つのアクセスタイミングパラメータを識別すること、前記少なくとも１つのアクセスタイミングパラメータは、前記免許不要専用スペクトルの外側で前記マルチモードデバイスの動作のために前記マルチモードデバイスによって使用される、と、
前記マルチモードデバイスの前記少なくとも１つのアクセスタイミングパラメータの期間を適応させること、前記適応された少なくとも１つのアクセスタイミングパラメータは、前記免許不要専用スペクトル内で前記マルチモードデバイスの動作のために前記マルチモードデバイスによって使用され、ここにおいて、前記少なくとも１つのアクセスタイミングパラメータの前記適応された期間は、前記免許不要専用スペクトルが割り当てられるデバイスの送信に、前記マルチモードデバイスを介して優先権を提供する、と、
前記免許不要専用スペクトルが割り当てられるデバイスの送信に前記優先権を提供する前記少なくとも１つの前記アクセスタイミングパラメータの前記適応された期間に少なくとも部分的に基づいて、前記免許不要専用スペクトルの少なくとも一部分にアクセスすることと
をプロセッサによって実行可能である命令を記憶する、非一時的コンピュータ可読媒体。
【請求項３２】
前記マルチモードデバイスの少なくとも１つのアクセスタイミングパラメータの前記期間を適応させる前記命令は、
前記免許不要専用スペクトルが割り当てられるデバイスによって使用されるショートインターフレームスペーシング（ＳＩＦＳ）の期間よりも長くなるようにＳＩＦＳの期間を増加させることを前記プロセッサによって実行可能である、
請求項３１に記載の非一時的コンピュータ可読媒体。
【請求項３３】
前記マルチモードデバイスの少なくとも１つのアクセスタイミングパラメータの前記期間を適応させる前記命令は、
前記免許不要専用スペクトルが割り当てられるデバイスのアクセスタイミングのために使用されるスロット時間よりも長くなるようにアクセスタイミングのために使用されるスロット時間を増加させることを前記プロセッサによって実行可能であり、前記増加したスロット時間は、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項３１に記載の非一時的コンピュータ可読媒体。
【請求項３４】
前記マルチモードデバイスの少なくとも１つのアクセスタイミングパラメータの前記期間を適応させる前記命令は、
前記マルチモードデバイスによって使用されるバックオフタイマを適応させることを前記プロセッサによって実行可能である、
請求項３１に記載の非一時的コンピュータ可読媒体。
【請求項３５】
前記命令は、
前記免許不要専用スペクトル内の免許不要専用スペクトル送信のアクティビティレベルを決定することと、
免許不要専用スペクトル送信の前記決定されたアクティビティレベルに少なくとも部分的に基づいて、前記マルチモードデバイスの送信のために前記免許不要専用スペクトルを使用するかどうかを決定することと
を前記プロセッサによってさらに実行可能である、請求項３１に記載の非一時的コンピュータ可読媒体。
【請求項３６】
前記マルチモードデバイスの前記少なくとも１つのアクセスタイミングパラメータの前記期間を適応させる前記命令は、
免許不要専用送信の前記決定されたアクティビティレベルに少なくとも部分的に基づいて、前記マルチモードデバイスの前記少なくとも１つのアクセスタイミングパラメータの前記期間を適応させることを前記プロセッサによってさらに実行可能である、
請求項２５に記載の非一時的コンピュータ可読媒体。
【請求項３７】
前記命令は、
免許不要専用スペクトル送信の第１のアクティビティレベルを備える第１の時間期間を識別することと、
免許不要専用スペクトル送信の第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、請求項２５に記載のコンピュータプログラム製品。
【請求項３８】
前記命令は、
前記免許不要専用スペクトル内のアクティビティレベルを送信することを前記プロセッサによってさらに実行可能である、
請求項３１に記載の非一時的コンピュータ可読媒体。
【請求項３９】
前記命令は、
前記マルチモードデバイスの少なくとも１つのアクセスタイミングパラメータの前記期間に適用する前記適応を示すアクセスポイント（ＡＰ）から命令を受信することを前記プロセッサによってさらに実行可能であり、前記命令は、前記免許不要専用スペクトル内のアクティビティレベルに少なくとも部分的に基づく、
請求項３１に記載の非一時的コンピュータ可読媒体。
【請求項４０】
前記命令は、
前記マルチモードデバイスの前記少なくとも１つのアクセスタイミングパラメータの前記期間をさらに適応させることを前記プロセッサによってさらに実行可能であり、前記さらに適応された少なくとも１つのアクセスタイミングパラメータは、前記免許不要専用スペクトルの外側で前記マルチモードデバイスの動作のために、前記マルチモードデバイスによって使用される、
請求項３１に記載の非一時的コンピュータ可読媒体。